(57)【要約】【課題】カバーの開放時において、ユーザの指からケーブルに静電気が飛ぶのを抑えることを目的とする。【解決手段】画像形成装置は、開口を有する本体フレームと、開口を開閉するために基端部が本体フレームに回動可能に支持されるカバー（トップカバー１１）と、カバーに支持され、カバーを閉状態から開状態に回動させる際に揺動するように構成される露光部材（ＬＥＤユニット４０）と、露光部材に電流を送るためのケーブル（フレキシブルフラットケーブルＣ）と、カバーに支持され、ケーブルをカバー側から露光部材側へ通す貫通孔４３０を有する板金４００を備える。板金４００には、貫通孔４３０のカバーの先端部側の端部に、露光部材側へ向けて延びる導電部４１１が設けられている。【選択図】図８
2014044333.tif 000002
【特許請求の範囲】
【請求項１】
開口を有する本体フレームと、
前記開口を開閉するために基端部が前記本体フレームに回動可能に支持されるカバーと、
前記カバーに支持され、前記カバーを閉状態から開状態に回動させる際に揺動するように構成される露光部材と、
前記露光部材に電流を送るためのケーブルと、
前記カバーに支持され、前記ケーブルを前記カバー側から前記露光部材側へ通す貫通孔を有する板金と、を備え、
前記板金には、前記貫通孔の前記カバーの先端部側の端部に、前記露光部材側へ向けて延びる導電部が設けられていることを特徴とする画像形成装置。
【請求項２】
前記導電部は、前記板金に一体に形成されていることを特徴とする請求項１に記載の画像形成装置。
【請求項３】
前記板金の前記貫通孔に入り込み、かつ、前記ケーブルが挿通される筒状の樹脂部材を有し、
前記樹脂部材は、前記板金から前記露光部材側に突出する突出部を有し、
前記突出部の先端は、前記導電部の先端よりも前記露光部材側に位置することを特徴とする請求項１または請求項２に記載の画像形成装置。
【請求項４】
前記ケーブルから発せられるノイズを低減するために、当該ケーブルの周囲を囲うように設けられる筒状のノイズ低減部材を備え、
前記樹脂部材には、前記ノイズ低減部材を保持するための保持部が設けられていることを特徴とする請求項３に記載の画像形成装置。
【請求項５】
前記ノイズ低減部材は、前記保持部に対して着脱可能となっていることを特徴とする請求項４に記載の画像形成装置。
【請求項６】
前記露光部材、前記貫通孔および前記突出部は、前記カバーの先端部から基端部に向けて並ぶように複数設けられ、
前記導電部は、複数の貫通孔のうち少なくとも最も先端部側の貫通孔に対して設けられ、
複数の突出部のうち、最も先端部側の突出部が、他の突出部よりも前記露光部材側に突出していることを特徴とする請求項３〜請求項５のいずれか１項に記載の画像形成装置。
【請求項７】
前記導電部は、複数の貫通孔のうち、最も先端部側の貫通孔のみに設けられていることを特徴とする請求項６に記載の画像形成装置。
【請求項８】
前記カバーは、前記本体フレームの上部に配置されるトップカバーであり、上面には、傾斜した底面を有する排出トレイが設けられ、
前記傾斜した底面の下方に配置される露光部材の基端部は、
前記カバーが閉状態のときに前記傾斜した底面と対面する傾斜面を有することを特徴とする請求項１〜請求項７のいずれか１項に記載の画像形成装置。
【発明の詳細な説明】
【技術分野】
【０００１】
本発明は、カバーに揺動可能に支持される露光部材を備えた画像形成装置に関する。
【背景技術】
【０００２】
従来、本体フレームの上部に回動可能に設けられるトップカバーと、トップカバーから吊り下げられるように支持され、トップカバーに対して揺動可能な露光部材とを備えた画像形成装置が知られている（特許文献１参照）。
【先行技術文献】
【特許文献】
【０００３】
【特許文献１】特開２００９−１５７１３７号公報
【発明の概要】
【発明が解決しようとする課題】
【０００４】
ところで、前述したような画像形成装置では、通常、露光部材に電流を送るためのケーブルが、制御基板からトップカバーの上壁と当該上壁の下方に間隔を空けて配置された下壁との間に取り回され、当該下壁に形成された開口部を通して露光部材に接続されている。しかしながら、このような構造においては、トップカバーを閉じているときの露光部材の上端と下壁との隙間が、トップカバーを開けたときに広がり、広がった隙間からケーブルがトップカバーの先端側（ユーザ側）に露出する場合がある。
【０００５】
この場合において、ユーザの指をケーブルに近づけると、指からケーブルに静電気が飛んで、制御基板等に悪影響を与えるおそれがある。
【０００６】
そこで、本発明は、カバーの開放時において、ユーザの指からケーブルに静電気が飛ぶのを抑えることを目的とする。
【課題を解決するための手段】
【０００７】
前記課題を解決するため、本発明に係る画像形成装置は、開口を有する本体フレームと、前記開口を開閉するために基端部が前記本体フレームに回動可能に支持されるカバーと、前記カバーに支持され、前記カバーを閉状態から開状態に回動させる際に揺動するように構成される露光部材と、前記露光部材に電流を送るためのケーブルと、前記カバーに支持され、前記ケーブルを前記カバー側から前記露光部材側へ通す貫通孔を有する板金と、を備える。
前記板金には、前記貫通孔の前記カバーの先端部側の端部に、前記露光部材側へ向けて延びる導電部が設けられている。
【０００８】
この構成によれば、カバーの開放時における露光部材の揺動によって、ケーブルが露光部材と板金との隙間からカバーの先端部側（ユーザ側）に露出しても、貫通孔の先端部側、すなわち貫通孔を通るケーブルよりもユーザ側に設けた導電部によって、ユーザの指から静電気がケーブルに飛ぶのを抑えることができる。
【０００９】
また、前記した構成において、前記導電部は、前記板金に一体に形成されているのが望ましい。
【００１０】
これによれば、導電部を板金とは別部材として構成する形態に比べ、構造を簡易化することができる。
【００１１】
また、前記した構成において、前記板金の前記貫通孔に入り込み、かつ、前記ケーブルが挿通される筒状の樹脂部材を設け、前記樹脂部材に、前記板金から前記露光部材側に突出する突出部を設け、前記突出部の先端を、前記導電部の先端よりも前記露光部材側に位置するように構成するのが望ましい。
【００１２】
これによれば、ケーブルが板金に接触するのを樹脂部材で抑えることができる。また、突出部でユーザが導電部の先端に触れるのを防止することができる。
【００１３】
また、前記した構成において、前記ケーブルから発せられるノイズを低減するために、当該ケーブルの周囲を囲うように設けられる筒状のノイズ低減部材を設ける場合には、前記樹脂部材には、前記ノイズ低減部材を保持するための保持部を設けるのが望ましい。
【００１４】
これによれば、ノイズ低減部材をテープ等を用いて樹脂部材に取り付ける構造に比べ、ノイズ低減部材の取付作業を容易にすることができる。
【００１５】
また、前記した構成において、前記ノイズ低減部材は、前記保持部に対して着脱可能となっているのが望ましい。
【００１６】
これによれば、樹脂部材やノイズ低減部材を再利用することができる。
【００１７】
また、前記した構成において、前記露光部材、前記貫通孔および前記突出部は、前記カバーの先端部から基端部に向けて並ぶように複数設けられ、前記導電部は、複数の貫通孔のうち少なくとも最も先端部側の貫通孔に対して設けられ、複数の突出部のうち、最も先端部側の突出部が、他の突出部よりも前記露光部材側に突出しているのが望ましい。
【００１８】
これによれば、ユーザの指が最も近づきやすい先端部側の突出部の突出量を大きくすることで、その突出部に対応する導電部の高さを高くすることができるので、ユーザの指からケーブルに静電気が飛ぶのをより抑えることができる。また、他の突出部の突出量を小さくすることで、樹脂部材の軽量化、ひいては画像形成装置の軽量化を図ることができる。
【００１９】
また、前記した構成において、前記導電部は、複数の貫通孔のうち、最も先端部側の貫通孔のみに設けられているのが望ましい。
【００２０】
これによれば、ユーザの指が最も近づきやすい最も先端部側の貫通孔のみに導電部を設けるので、すべての貫通孔に導電部を設ける構造に比べ、板金の軽量化、ひいては画像形成装置の軽量化を図ることができる。
【００２１】
また、前記した構成において、前記カバーは、前記本体フレームの上部に配置されるトップカバーであり、上面に、傾斜した底面を有する排出トレイが設けられる場合には、前記傾斜した底面の下方に配置される露光部材の基端部は、前記カバーが閉状態のときに前記傾斜した底面と対面する傾斜面を有するのが望ましい。
【００２２】
これによれば、露光部材の基端部と排出トレイの底面とを近づけることができるので、画像形成装置を上下方向に小型化することができる。
【発明の効果】
【００２３】
本発明によれば、カバーの開放時において、ユーザの指からケーブルに静電気が飛ぶのを抑えることができる。
【図面の簡単な説明】
【００２４】
【図１】本発明の一実施形態に係るカラープリンタを示す断面図である。
【図２】トップカバーを開けた状態を示す断面図である。
【図３】ＬＥＤユニット周りの構造を示す断面図である。
【図４】トップカバーを斜め下から見た斜視図である。
【図５】分解した状態の板金、コア保持部材およびフェライトコアを斜め下から見た分解斜視図である。
【図６】組付状態の板金、コア保持部材およびフェライトコアを斜め下から見た斜視図である。
【図７】分解した状態のコア保持部材およびフェライトコアを斜め上から見た分解斜視図である。
【図８】トップカバーを閉じているときのＬＥＤユニットの状態を示す断面図（ａ）と、トップカバーを開いたときのＬＥＤユニットの状態を示す断面図（ｂ）である。
【発明を実施するための形態】
【００２５】
次に、本発明の一実施形態について、適宜図面を参照しながら詳細に説明する。なお、以下の説明においては、まず、画像形成装置の一例としてのカラープリンタ１の概略構成を簡単に説明した後、本発明の特徴部分の構成について詳細に説明する。
【００２６】
以下の説明において、方向は、カラープリンタ１を使用するユーザを基準にした方向で説明する。すなわち、図１における右側を「前」、左側を「後」とし、手前側を「左」、奥側を「右」とする。また、図１における上下方向を「上下」とする。
【００２７】
＜カラープリンタの概略構成＞
図１に示すように、カラープリンタ１は、本体フレーム１０と、カバーの一例としてのトップカバー１１と、本体フレーム１０内に設けられた給紙部２０および画像形成部３０とを主に備えている。
【００２８】
トップカバー１１は、本体フレーム１０の上部に配置され、本体フレーム１０の上部に形成された開口１０Ａを開閉するために、後端部（基端部）が本体フレーム１０に回動可能に支持されている。具体的には、トップカバー１１は、開口１０Ａを閉鎖する閉鎖位置（図１の位置）と、開口１０Ａを開放する開放位置（図２の位置）とに揺動可能となっている。
【００２９】
給紙部２０は、本体フレーム１０内の下部に設けられ、用紙Ｐを収容する給紙トレイ２１と、給紙トレイ２１から用紙Ｐを画像形成部３０に供給する用紙供給機構２２とを主に備えている。給紙トレイ２１内の用紙Ｐは、用紙供給機構２２によって１枚ずつ分離されて画像形成部３０に供給される。
【００３０】
画像形成部３０は、複数の露光部材の一例としての４つのＬＥＤユニット４０と、４つのプロセスカートリッジ５０と、転写ユニット７０と、定着ユニット８０とを主に備えて構成されている。
【００３１】
各ＬＥＤユニット４０は、前後方向（トップカバー１１の先端部から基端部に向かう方向）に並ぶように設けられている。ＬＥＤユニット４０は、その先端に複数のＬＥＤを有し、トップカバー１１から吊り下げられるようにトップカバー１１に揺動可能に支持されている。
【００３２】
ＬＥＤユニット４０は、複数のＬＥＤが画像データに基づいて明滅することで、感光体ドラム５１の表面を露光する。
【００３３】
各プロセスカートリッジ５０は、トップカバー１１と給紙トレイ２１との間で前後方向に並ぶように設けられている。各プロセスカートリッジ５０は、図２に示すトップカバー１１が開かれた状態において、本体フレーム１０の開口１０Ａを通して本体フレーム１０に着脱可能となっている。また、プロセスカートリッジ５０は、感光体ドラム５１や、符号を省略して示す公知の帯電器、現像ローラ、トナー収容室などを備えている。
【００３４】
転写ユニット７０は、給紙トレイ２１とプロセスカートリッジ５０との間に設けられ、駆動ローラ７１と、従動ローラ７２と、駆動ローラ７１と従動ローラ７２の間に張設された無端状の搬送ベルト７３と、４つの転写ローラ７４とを主に備えている。搬送ベルト７３は、外側の面が各感光体ドラム５１に接しており、その内側には各転写ローラ７４が各感光体ドラム５１との間で搬送ベルト７３を挟持するように配置されている。
【００３５】
定着ユニット８０は、プロセスカートリッジ５０および転写ユニット７０の後方に設けられ、加熱ローラ８１と、加熱ローラ８１と対向配置されて加熱ローラ８１を押圧する加圧ローラ８２とを主に備えている。
【００３６】
このような画像形成部３０では、感光体ドラム５１の表面が、帯電器により一様に帯電された後、ＬＥＤユニット４０によって露光されることで、感光体ドラム５１上に画像データに基づく静電潜像が形成される。そして、感光体ドラム５１に現像ローラからトナーが供給されることで、静電潜像が可視像化されて感光体ドラム５１上にトナー像が形成される。
【００３７】
各感光体ドラム５１上に形成されたトナー像は、給紙部２０から搬送された用紙Ｐが、感光体ドラム５１と搬送ベルト７３（転写ローラ７４）の間を搬送されることで、用紙Ｐ上に順次重ね合わせて転写される。トナー像が転写された用紙Ｐは、加熱ローラ８１と加圧ローラ８２の間を搬送されることでトナー像が熱定着される。その後、用紙Ｐは、搬送ローラ９１によって本体フレーム１０内から外部に排出され、トップカバー１１の上面に形成された排出トレイ１１Ａ上に載置される。
【００３８】
＜ＬＥＤユニット周りの構造＞
次に、ＬＥＤユニット４０周りの構造について詳細に説明する。
図３および図４に示すように、ＬＥＤユニット４０は、ＬＥＤヘッド１００と、ＬＥＤヘッド１００を支持する樹脂製の支持フレーム２００と、支持フレーム２００を支持する樹脂製のホルダ３００とを備えている。
【００３９】
ＬＥＤヘッド１００は、左右方向に延びる長尺状の部材であり、半導体チップに多数のＬＥＤを左右方向に一列に配列して構成された複数のＬＥＤアレイと、複数のＬＥＤアレイの下方に配置されるレンズアレイとを備えて構成されている。
【００４０】
支持フレーム２００は、ＬＥＤユニット４０の上側に配置され、主に、左右方向に延びる長尺状のベース部２１０と、ベース部２１０の左右方向（長手方向）における両端部から下方に延出する一対の延出部２２０とを備えて構成されている。そして、ＬＥＤユニット４０は、一対の延出部２２０の間に配置された状態で、支持フレーム２００に支持されている。
【００４１】
ホルダ３００は、支持フレーム２００の上側に配置され、主に、左右方向に延びる長尺状の本体部３１０と、本体部３１０の左右両端部から左右方向外側に延出する回動軸３２０と、左右の回動軸３２０よりも左右方向内側の部位から下方に延びるように形成され、支持フレーム２００のベース部２１０を前後に挟むように支持する保持アーム３３０とを備えている。
【００４２】
左右の回動軸３２０は、トップカバー１１の左右の端部に設けられるホルダ支持部材１１Ｂに回動可能に支持されている。これにより、ＬＥＤユニット４０が、トップカバー１１に対して揺動可能となっている。
【００４３】
また、ＬＥＤユニット４０は、公知の連動機構によってトップカバー１１の開閉動作に連動して揺動するようになっている。詳しくは、ＬＥＤユニット４０は、トップカバー１１を閉じたときには、感光体ドラム５１を露光可能な露光位置（図１の位置）に配置され、トップカバー１１を閉状態から開状態に回動させる際に下端部（先端部）がトップカバー１１の基端部に近づくように揺動して、露光位置よりもトップカバー１１側に折り畳まれた退避位置（図２の位置）に配置されるようになっている。
【００４４】
また、４つのＬＥＤユニット４０のうち最も後方のＬＥＤユニット４０は、排出トレイ１１Ａの傾斜した底面Ａ１の下方に配置されている。そして、最も後方のＬＥＤユニット４０の本体部３１０（基端部）は、トップカバー１１が閉状態のときに、傾斜した底面Ａ１と対面する傾斜面３１１を有している。
【００４５】
これにより、ＬＥＤユニット４０の本体部３１０と排出トレイ１１Ａの底面Ａ１とを近づけることができるので、カラープリンタ１を上下方向に小型化することが可能となっている。なお、前側の３つの本体部３１０も、部品の共用化のために、最も後方の本体部３１０と同じような傾斜面３１１を有した構成、つまり断面視三角形状に形成されている。
【００４６】
ＬＥＤユニット４０の上側には、トップカバー１１に支持された板金４００が設けられている。図５〜図７に示すように、板金４００は、上下方向に対して略面直となる略矩形の本体部４１０と、本体部４１０の後端から後斜め下方に延びる傾斜部４２０とを主に備えている。
【００４７】
板金４００の左側には、ＬＥＤユニット４０に電流を送るためのフレキシブルフラットケーブルＣをトップカバー１１側からＬＥＤユニット４０側へ通す４つの貫通孔４３０，４４０が、前後方向に間隔を空けて並ぶように形成されている。具体的に、前側の３つの貫通孔４３０は、それぞれ左右に延びる長方形状の孔であり、本体部４１０に形成されている。
【００４８】
最も後側の貫通孔４４０は、前後方向に延びる略長方形状の孔であり、本体部４１０と傾斜部４２０とに跨って形成されている。そして、最も前側の貫通孔４３０の前側（トップカバー１１の先端部側）の端部には、下側（ＬＥＤユニット４０側）へ向けて延びる導電部４１１が設けられている。
【００４９】
これにより、図８（ａ），（ｂ）に示すように、トップカバー１１の開放時におけるＬＥＤユニット４０の揺動によって、ＬＥＤユニット４０と板金４００との隙間が広がって、当該隙間からフレキシブルフラットケーブルＣが前側（ユーザ側）に露出しても、貫通孔４３０を通るフレキシブルフラットケーブルＣよりも前側に設けた導電部４１１によって、ユーザの指から静電気がフレキシブルフラットケーブルＣに飛ぶのを抑えることが可能となっている。
【００５０】
また、導電部４１１は、板金４００を切り起こすことによって当該板金４００に一体に形成されている。これにより、例えば導電部を板金とは別部材として構成する形態に比べ、構造を簡易化することが可能となっている。
【００５１】
また、本実施形態においては、導電部４１１が、４つの貫通孔４３０，４４０のうち、最も前側の貫通孔４３０のみに設けられているので、例えばすべての貫通孔に導電部を設ける構造に比べ、板金４００の軽量化、ひいてはカラープリンタ１の軽量化を図ることが可能となっている。
【００５２】
なお、図２に破線で簡略的に図示するように、後側の３つのＬＥＤユニット４０に接続された各フレキシブルフラットケーブルＣは、トップカバー１１の開放時において、前側に配置された各ＬＥＤユニット４０によって隠される（前側から見てＬＥＤユニット４０と重なる）ようになっている。これにより、ユーザの指が後側の各フレキシブルフラットケーブルＣに近づくことが前側の各ＬＥＤユニット４０によって抑えられるので、ユーザの指から後側の各フレキシブルフラットケーブルＣへ静電気が飛ぶことも抑えることが可能となっている。
【００５３】
また、４つの貫通孔４３０，４４０の上側には、ノイズ低減部材の一例としてのフェライトコアＦＣを保持するための樹脂製のコア保持部材５００が設けられている。ここで、フェライトコアＦＣは、筒状の部材であり、前側の３つのフレキシブルフラットケーブルＣから発せられるノイズを低減するために、これらのフレキシブルフラットケーブルＣの周囲を囲うように設けられている。
【００５４】
コア保持部材５００は、樹脂部材の一例としての４つの筒状部５１０，５２０，５３０と、各筒状部５１０，５２０，５３０を連結する連結部５４１，５４２，５４３とを備えている。４つのうち前側の３つの筒状部５１０，５２０は、上下方向に延びる矩形の筒状に形成され、最も後側の筒状部５３０は、扁平な筒状に形成されており、それぞれ、板金４００の各貫通孔４３０，４４０に上から入り込むように構成されている。
【００５５】
詳しくは、各筒状部５１０〜５３０は、それぞれ対応する貫通孔４３０，４４０に合致する形状に形成されている。そして、各筒状部５１０〜５３０内に、フレキシブルフラットケーブルＣが挿通されるようになっている。
【００５６】
これにより、フレキシブルフラットケーブルＣが板金４００に接触するのを各筒状部５１０〜５３０で抑えることが可能となっている。
【００５７】
また、各筒状部５１０，５２０，５３０は、図６に示すように、各貫通孔４３０，４４０に上から嵌り込んだ状態において、その下側部分が、板金４００から下側（ＬＥＤユニット４０側）に突出する突出部５１１，５２１，５３１となるように構成されている。言い換えると、コア保持部材５００は、前後方向に並んだ４つの突出部５１１，５２１，５３１を有している。
【００５８】
そして、最も前側の突出部５１１の下端（先端）は、板金４００の導電部４１１の下端（先端）よりも下側に位置するように構成されている（図８も参照）。これにより、ユーザの指が導電部４１１の下端に触れて傷ついてしまうのを、突出部５１１によって防止することが可能となっている。
【００５９】
また、最も前側の突出部５１１は、他の突出部５２１，５３１よりも下側に突出している。つまり、最も前側の突出部５１１の板金４００からの突出量は、他の突出部５２１，５３１の板金４００からの突出量よりも大きくなっている。
【００６０】
このようにユーザの指が最も近づきやすい前側の突出部５１１の突出量を大きくすることで、この突出部５１１に対応する導電部４１１の高さを高くすることができるので、ユーザの指からフレキシブルフラットケーブルＣに静電気が飛ぶのをより抑えることが可能となっている。また、他の突出部５２１，５３１の突出量を小さくすることで、コア保持部材５００の軽量化、ひいてはカラープリンタ１の軽量化を図ることが可能となっている。
【００６１】
また、図７に示すように、前側の３つの筒状部５１０，５２０には、フェライトコアＦＣを保持するための保持部の一例としての一対の保持爪５１２，５２２が設けられている。このように筒状部５１０，５２０に保持爪５１２，５２２を設けることで、例えばフェライトコアをテープ等を用いて筒状部に取り付ける構造に比べ、フェライトコアＦＣの取付作業を容易にすることが可能となっている。
【００６２】
具体的に、一対の保持爪５１２，５２２は、筒状部５１０，５２０の内部から上方に延びる一対のアーム部５１２Ａ，５２２Ａと、各アーム部５１２Ａ，５２２Ａの先端から左右方向内側に突出する爪部５１２Ｂ，５２２Ｂとを備えている。そして、各アーム部５１２Ａ，５２２Ａは、左右方向に撓み変形可能に構成されており、これにより、フェライトコアＦＣが、保持爪５１２，５２２に対して着脱可能となっている。
【００６３】
このようにフェライトコアＦＣが保持爪５１２，５２２に対して着脱可能となることで、コア保持部材５００やフェライトコアＦＣを再利用することが可能となっている。
【００６４】
なお、本発明は前記実施形態に限定されることなく、以下に例示するように様々な形態で利用できる。
前記実施形態では、４つの貫通孔４３０，４４０のうち、最も前側の貫通孔４３０のみに導電部４１１を設けたが、本発明はこれに限定されず、導電部は複数設けてもよい。
【００６５】
前記実施形態では、導電部４１１を板金４００に一体に形成したが、本発明はこれに限定されず、例えば板金とは別の金属部材で導電部を構成してもよい。
【００６６】
前記実施形態では、カバーとしてトップカバー１１を例示したが、本発明はこれに限定されず、例えばフロントカバーなどであってもよい
【００６７】
前記実施形態では、露光部材としてＬＥＤユニット４０を例示したが、本発明はこれに限定されず、例えば、ＬＥＤや蛍光灯などの１つの発光素子と、発光素子の外側に、左右方向に並んだ複数の液晶またはＰＬＺＴ素子の光学シャッタとを備えた露光部材であってもよい。
【００６８】
前記実施形態では、ケーブルとしてフレキシブルフラットケーブルＣを例示したが、本発明はこれに限定されず、どのようなケーブルであってもよい。
【００６９】
前記実施形態では、露光部材、貫通孔および突出部を複数設けたが、本発明はこれに限定されず、例えばモノクロのプリンタなどにおいては露光部材等をそれぞれ１つだけ設けるように構成してもよい。
【００７０】
前記実施形態では、保持部として一対の保持爪５１２，５２２を例示したが、本発明はこれに限定されず、例えばフェライトコアの外周面に係合する複数の係合突起などであってもよい。
【００７１】
前記実施形態では、カラープリンタ１に本発明を適用したが、本発明はこれに限定されず、その他の画像形成装置、例えば複写機や複合機などに本発明を適用してもよい。
【符号の説明】
【００７２】
１      カラープリンタ
１０    本体フレーム
１０Ａ  開口
１１    トップカバー
４０    ＬＥＤユニット
４００  板金
４１１  導電部
４３０  貫通孔
Ｃ      フレキシブルフラットケーブル
【図１】
2014044333.tif 000003
【図２】
2014044333.tif 000004
【図３】
2014044333.tif 000005
【図４】
2014044333.tif 000006
【図５】
2014044333.tif 000007
【図６】
2014044333.tif 000008
【図７】
2014044333.tif 000009
【図８】
2014044333.tif 000010